(57)【要約】【課題】  精度の良い色補正プロファイルを容易に作成することを課題とする。【解決手段】  目標色Ｇ1，Ｇ2に応じて作成された色変換プロファイルを参照してカラーチャートの画像データの色変換することにより、印刷されたカラーチャートにて目標色Ｇ1，Ｇ2と略同色のカラーパッチを形成することができる。従って、目標色Ｇ1，Ｇ2ごとに異なるカラーチャートを用意しなくても、汎用的なカラーチャートで精度の良い色補正プロファイルを作成することができる。【選択図】図８
2006345358.tif 000002
【特許請求の範囲】
【請求項１】
第一の表色空間と第二の表色空間との対応関係を規定した色補正プロファイルを作成する色補正プロファイル作成装置において、
上記第一の表色空間における特定色が印刷用紙上にて再現されるべき目標色を取得する目標色取得手段と、
上記第二の表色空間と第三の表色空間との対応関係を規定するプロファイルであって、
当該プロファイルを参照して色変換を行いつつ上記印刷用紙にカラーチャートを上記印刷用紙に印刷したときに、予め取得された上記目標色と略同色のカラーパッチが再現されるように同対応関係が補正された色変換プロファイルを作成する色変換プロファイル作成手段と、
上記色変換プロファイルを参照して色変換を行いつつ、上記カラーチャートを上記印刷用紙に印刷するカラーチャート印刷手段と、
上記カラーチャートの測色結果に基づいて上記特定色と上記目標色が再現可能な第二の表色空間における色座標とを対応させた上記色補正プロファイルを作成する色補正プロファイル作成手段とを具備することを特徴とする色補正プロファイル作成装置。
【請求項２】
上記色変換プロファイルには、
上記目標色に応じて、同目標色と略同色のカラーパッチが再現されるように上記第二の表色空間と第三の表色空間との対応関係が補正される可変領域と、
上記目標色にかかわらず上記対応関係が一定である不変領域とを有することを特徴とする請求項１に記載の色補正プロファイル作成装置。
【請求項３】
上記特定色は上記第一の表色空間における各明度の無彩色であり、
各明度の無彩色に対応する上記目標色は、上記印刷用紙上にて表現可能な最明色と最暗色との間で直線的な色変化を有する色であることを特徴とする請求項１または請求項２のいずれかに記載の色補正プロファイル作成装置。
【請求項４】
上記特定色は上記第一の表色空間における各明度の無彩色であり、
各明度の無彩色に対応する上記目標色は、上記印刷用紙上における各明度の無彩色であることを特徴とする請求項１から請求項３のいずれかに記載の色補正プロファイル作成装置。
【請求項５】
第一の表色空間と第二の表色空間との対応関係を規定した色補正プロファイルを作成する色補正プロファイル作成方法において、
上記第一の表色空間における特定色が印刷用紙上にて再現されるべき目標色を取得する目標色取得工程と、
上記第二の表色空間と第三の表色空間との対応関係を規定するプロファイルであって、
当該プロファイルを参照して色変換を行いつつ上記印刷用紙にカラーチャートを上記印刷用紙に印刷したときに、予め取得された上記目標色と略同色のカラーパッチが再現されるように同対応関係が補正された色変換プロファイルを作成する色変換プロファイル作成工程と、
上記色変換プロファイルを参照して色変換を行いつつ上記カラーチャートを上記印刷用紙に印刷するカラーチャート印刷工程と、
上記カラーチャートの測色結果に基づいて、上記特定色と上記目標色が再現可能な第二の表色空間における色座標とを対応させた上記色補正プロファイルを作成する色補正プロファイル作成工程とを具備することを特徴とする色補正プロファイル作成方法。
【請求項６】
第一の表色空間と第二の表色空間との対応関係を規定した色補正プロファイルを作成する機能をコンピュータにて実行させる色補正プロファイル作成プログラムにおいて、
上記第一の表色空間における特定色が印刷用紙上にて再現されるべき目標色を取得する目標色取得機能と、
上記第二の表色空間と第三の表色空間との対応関係を規定するプロファイルであって、
当該プロファイルを参照して色変換を行いつつ上記印刷用紙にカラーチャートを上記印刷用紙に印刷したときに、予め取得された上記目標色と略同色のカラーパッチが再現されるように同対応関係が補正された色変換プロファイルを作成する色変換プロファイル作成機能と、
上記色変換プロファイルを参照して色変換を行いつつ上記カラーチャートを上記印刷用紙に印刷するカラーチャート印刷機能と、
上記カラーチャートの測色結果に基づいて、上記特定色と上記目標色が再現可能な第二の表色空間における色座標とを対応させた上記色補正プロファイルを作成する色補正プロファイル作成機能とをコンピュータにて実行させることを特徴とする色補正プロファイル作成プログラム。
【請求項７】
第一の表色空間で表現された画像データを第三の表色空間で表現された画像データに変換しつつ印刷装置にて印刷用紙上に印刷を実行させる印刷制御装置において、
上記第一の表色空間における特定色が印刷用紙上にて再現されるべき目標色を取得する目標色取得手段と、
第二の表色空間と上記第三の表色空間との対応関係を規定するプロファイルであって、当該プロファイルを参照して色変換を行いつつ上記印刷用紙にカラーチャートを上記印刷用紙に印刷したときに、予め取得された上記目標色と略同色のカラーパッチが再現されるように同対応関係が補正された色変換プロファイルを取得する色変換プロファイル取得手段と、
上記第一の表色空間と第二の表色空間との対応関係を規定したプロファイルであって、当該プロファイルを参照して色変換を行いつつ印刷された上記カラーチャートの測色結果に基づいて、上記特定色と上記目標色が再現可能な上記第二の表色空間における色座標とを対応させた色補正プロファイルを取得する色補正プロファイル取得手段と、
上記色補正プロファイルと上記色変換プロファイルとで規定される上記第一の表色空間と上記第三の表色空間との対応関係に基づいて第一の表色空間で表現された画像データを第三の表色空間で表現された画像データに変換する色変換手段と、
上記色変換手段にて変換された画像データに基づいて上記印刷装置にて印刷を実行させる印刷実行手段とを具備することを特徴とする印刷制御装置。
【発明の詳細な説明】
【技術分野】
【０００１】
本発明は、色補正プロファイル作成装置、色補正プロファイル作成方法、色補正プロファイル作成プログラムおよび印刷制御装置に関する。
【背景技術】
【０００２】
従来、この種の色補正プロファイル作成装置において、印刷用紙上に印刷される目標色を使用者が指定することができるように色補正プロファイルを複数作成しておくことが行われている。例えば、無彩色を印刷したときに、測色的に真の無彩色が再現されるような絶対グレーモードの色補正プロファイルと、測色的に真の無彩色ではないものの印刷用紙上にねじれのない自然なグレーの階調性が表現できるペーパーモードの色補正プロファイルとを用意することが知られている。かかる構成によれば、色の精度が要求されるモノクロ画像であっても、使用者の満足する印刷結果を得ることが可能であった。
【発明の開示】
【発明が解決しようとする課題】
【０００３】
目標色が精度良く再現可能な色補正プロファイルを作成するためには、同目標色に近似した色のカラーパッチを多く含むカラーチャートを実際に印刷し、その測色結果を色補正プロファイルに反映させることが望ましい。しかしながら、汎用的なカラーチャートによれば、目標色に近似した色のカラーパッチが多く印刷されるとは限らないため、目標色が精度良く再現できる色補正プロファイルイルを作成することが不可能であった。目標色に近似した色のカラーパッチが多く印刷されるカラーチャートを用意することも考えられるが、カラーチャートを個別的に用意しなければならず、煩雑であるという問題があった。
本発明は、上述した課題をかんがみてなされたもので、精度の良い色補正プロファイルが容易に作成可能な色補正プロファイル作成装置、色補正プロファイル作成方法、色補正プロファイル作成プログラムおよび印刷制御装置を提供することを目的とする。
【課題を解決するための手段および効果】
【０００４】
上記課題を解決するために、請求項１にかかる発明では、目標色取得手段が上記第一の表色空間において特定色が印刷用紙上にて再現されるべき目標色を取得する。色変換プロファイル作成手段は上記第二の表色空間と第三の表色空間との対応関係を規定する色変換プロファイルを作成する。この色変換プロファイルは、同色変換プロファイル参照して色変換を行いつつ上記印刷用紙にカラーチャートを上記印刷用紙に印刷したときに、予め取得された上記目標色と略同色のカラーパッチが再現されるように上記第二の表色空間と第三の表色空間との対応関係が補正されている。従って、カラーチャート印刷手段によって印刷される上記カラーチャートには上記目標色と略同色のカラーパッチが再現されることとなる。そして色補正プロファイル作成手段は、上記カラーチャートの測色結果に基づいて、上記特定色と上記目標色が再現可能な第二の表色空間における色座標とを対応づけることにより上記色補正プロファイルを作成する。
【０００５】
上記色変換プロファイルを参照して色変換を行いつつ印刷された上記カラーチャートには上記目標色と略同色の上記カラーパッチが形成されることとなるため、同目標色に関しての測色結果を得ることができる。従って、上記カラーチャートの測色結果に基づいて上記目標色が再現可能な第二の表色空間における色座標を推定する精度が向上し、同色座標と上記特定色との対応付けを正確に行うことができる。従って、上記目標色を精度良く再現可能な上記色補正プロファイルを作成することができる。汎用的な上記カラーチャートであっても上記色変換プロファイルを参照して色変換を行うことにより、上記目標色と略同色のカラーパッチを印刷させることができる。従って、上記目標色と略同色のカラーパッチが印刷されるような上記カラーチャートを個別的に用意しておく必要はない。
【０００６】
また、請求項２にかかる発明では、上記色変換プロファイルにおける上記第二の表色空間と上記第三の表色空間との対応関係において、上記目標色に応じて対応関係が補正される可変領域と、上記目標色にかかわらず上記対応関係が一定である不変領域とが設けられる。従って、上記特定色に対して複数の上記目標色が設定された場合にも、上記色変換プロファイルの全体を補正することなく、上記可変領域のみの補正で済ませることができる。すなわち、上記目標色ごとに上記色変換プロファイル全体を複数用意しておかなくてもよい。例えば、上記不変領域を規定した不変テーブルと、上記可変領域を規定した上記目標色ごとの複数の可変テーブルとを用意し、同可変テーブルのみを同目標色に応じて差し替えることにより、同可変領域のみを同目標色に応じて補正することができる。
【０００７】
さらに、請求項３にかかる発明では、上記特定色が上記第一の表色空間における各明度の無彩色とされ、この無彩色に対応する上記目標色が設定される。この場合における上記目標色は、上記印刷用紙上にて表現可能な最明色と最暗色との間で直線的な色変化を有する色とされる。なお、白色の上記印刷用紙上にて表現可能な最明色は、同印刷用紙の紙地の色となる。各明度の無彩色が直線的な色変化をすることとなるため、同無彩色のグラデーションを色ねじれがなく再現することができる。
また、請求項４にかかる発明では、上記特定色は上記第一の表色空間における各明度の無彩色とされ、この無彩色に対応する上記目標色が設定される。この場合における上記目標色は、上記印刷用紙上における各明度の無彩色である。すなわち、上記第一の表色空間における各明度の無彩色を上記印刷用紙に再現すると、同印刷用紙上に各明度の無彩色が再現することができる。つまり、上記第一の表色空間における各明度の無彩色を、そのまま正確に印刷用紙上にて再現することができる。
【０００８】
むろん、以上の発明は、装置のみならず、請求項５のような色補正プロファイル作成方法によって実現することも可能であるし、請求項６のように上記方法に従った処理を実行する色補正プロファイル作成プログラムによって実現することも可能である。さらに、請求項７のように上記色補正プロファイル作成装置によって作成された色補正プロファイルに基づいて印刷を行う印刷制御装置としての実現することも可能である。また、この印刷制御装置に対応した印刷制御方法、印刷制御プログラムとして実現することも可能である。また、本発明にかかる装置、方法、プログラムは単独で実施される場合もあるし、ある機器に組み込まれた状態で他の装置、方法、プログラムとともに実施されることもあるなど、発明の思想としてはこれに限らず、各種の態様を含むものであり、適宜、変更可能である。
【０００９】
さらに、本発明のプログラムを記録した記録媒体として提供することも可能である。このプログラムの記録媒体は、磁気記録媒体であってもよいし光磁気記録媒体であってもよいし、今後開発されるいかなる記録媒体においても全く同様に考えることができる。また、一次複製品、二次複製品などの複製段階については全く問う余地無く同等である。さらに、一部がソフトウェアであって、一部がハードウェアで実現されている場合においても発明の思想において全く異なるものではなく、一部を記録媒体上に記憶しておいて必要に応じて適宜読み込まれるような形態のものとしてあってもよい。また、必ずしも全部の機能を単独のプログラムで実現するのではなく、複数のプログラムにて実現させるようなものであっても良い。この場合、各機能を複数のコンピュータに実現させるものであればよい。
【発明を実施するための最良の形態】
【００１０】
ここでは、下記の順序に従って本発明の実施の形態について説明する。
（１）色補正プロファイル作成装置の構成：
（２）色補正プロファイル作成処理：
（３）印刷制御処理：
（４）他の実施形態：
【００１１】
（１）色補正プロファイル作成装置の構成：
図１は、本発明の一実施形態にかかる色補正プロファイル作成装置の主要部をなすコンピュータの構成を概略的に示している。同図において、コンピュータ１０は、バス１０ａを備えており、同バス１０ａを介してＣＰＵ１１とＲＯＭ１２とＲＡＭ１３とハードディスクドライブ（ＨＤＤ）１４とＵＳＢインターフェイス（Ｉ／Ｆ）１５とビデオインターフェイス（Ｉ／Ｆ）１６が相互に接続されている。ＨＤＤ１４には、オペレーションシステム（Ｏ／Ｓ）１４ａと画像補正プログラム１４ｂとが記憶されており、ＣＰＵ１１がオペレーションシステムＯ／Ｓ１４ａと画像補正プログラム１４ｂを読み出して、これらに記述された処理を実行させる。その際に、ＲＡＭ１３を一時記憶エリアとして利用する。コンピュータ１０には、ＵＳＢＩ／Ｆ１５を介してプリンタ３０と測色機４０が接続されており、印刷データをプリンタ３０にて印刷したり、印刷されたカラーチャートを測色機４０にて測色したりすることが可能となっている。また、コンピュータ１０には、ビデオＩ／Ｆ１６を介してディスプレイ５０が接続されている。
【００１２】
図２は、ＣＰＵ１１が実行するプログラムの構成を概念的に示している。同図において、Ｏ／Ｓ
Ｐ１が実行されており、Ｏ／Ｓ Ｐ１上にて色補正プロファイル作成プログラムＰ２やドライバＰ３が実行されている。ドライバＰ３はコンピュータ１０に接続された測色機４０を動作させたり、同測色機４０から測色データを取得する処理を行っており、色補正プロファイル作成プログラムＰ２は後述する処理を行う。Ｏ／Ｓ
Ｐ１はドライバＰ３や色補正プロファイル作成プログラムＰ２を構成する各モジュールに介在し、これらの間のインターフェイスを提供している。
【００１３】
色補正プロファイル作成プログラムＰ２は、目標色取得部Ｐ２ａと色変換プロファイル作成部Ｐ２ｂと色変換部Ｐ２ｃとカラーチャート印刷部Ｐ２ｄと色補正プロファイル作成部Ｐ２ｅと印刷実行部Ｐ２ｆとから構成されている。目標色取得部Ｐ２ａは第一の表色空間において特定色を取得し、この特定色をプリンタ３０にて印刷用紙上に印刷する際に再現されるべき目標色を取得する。ここで、本実施形態において使用される各表色系について説明する。なお、色補正プロファイル作成プログラムＰ２を構成する各モジュールＰ２ａ〜Ｐ２ｆは同一のコンピュータ１０上に実行されるものに限られず、複数のコンピュータ上にて実行されてもよい。
【００１４】
図３は、複数のコンピュータ上にて色補正プロファイル作成プログラムＰ２が実行される例を示している。同図において、色変換プロファイル作成用コンピュータ（ＰＣ）１０ａと、色補正プロファイル作成用コンピュータ（ＰＣ）１０ｂが個別に設けられており、各ＰＣ１０ａ，１０ｂに各モジュールＰ２ａ〜Ｐ２ｆが分散している。色変換プロファイル作成用ＰＣ１０ａにて色変換プロファイル作成部Ｐ２ｂが色変換プロファイルを作成し、同作成された色変換プロファイルが色補正プロファイル作成用ＰＣ１０ｂに配布される。そして、配布された色変換プロファイルを利用して色補正プロファイル作成用ＰＣ１０ｂの色補正プロファイルＰ２ｃが色補正プロファイルを作成する。このように、色補正プロファイル作成プログラムＰ２が有する機能を複数のコンピュータ１０ａ，１０ｂにて分担させてもよい。
【００１５】
例えば、プリンタメーカーがプリンタ２０についての純正ＩＣＣプロファイルを提供する場合には、プリンタメーカーが図２のコンピュータ１０を使用して、色変換プロファイルと色補正プロファイルの双方を作成し、これらをまとめてユーザーに提供することとなる。一方、ユーザーが個別に色補正プロファイルを作成する場合には、プリンタメーカーが図３の色変換プロファイル作成用ＰＣ１０ａを使用して、色変換プロファイルのみをユーザーに配布する。そして、ユーザーが図３の色補正プロファイル作成用ＰＣ１０ｂを使用して色補正プロファイルを作成することとなる。
【００１６】
図４は、各表色系の関係を模式的に示している。同図において、第一の表色空間は均等色空間であるＬ*ａ*ｂ*色空間とされている。このＬ*ａ*ｂ*色空間とディスプレイ等で使用されるｓＲＧＢ色空間との対応関係とがＩＣＣプロファイルによって規定されているため、ディスプレイ５０にて表示している色が絶対的にどのような色となっているかをＬ*ａ*ｂ*色空間にて特定することが可能となっている。一方、第二の表色空間はＲＧＢ色空間とされ、第三の表色空間はＣＭＹＫ色空間とされている。ＣＭＹＫ色空間はプリンタ３０の機器依存色空間であり、プリンタ３０が使用するインク色を軸として空間が定義されている。
【００１７】
Ｌ*ａ*ｂ*色空間とＲＧＢ色空間との対応関係は色補正プロファイルによって規定されている。なお、一般的に色補正プロファイルは、印刷用紙に依存して変動する色を補正するためメディアプロファイルと呼ばれている。さらに、ＲＧＢ色空間とＣＭＹＫ色空間との対応関係は色変換プロファイルによって規定されている。色補正プロファイルと色変換プロファイルは各色空間における等色関係を特定することができればよく、各色空間において対応しあう複数の代表色同士を結びつけて記述したテーブル形式であってもよいし、各色空間の対応関係を一般化した関数によって表現した関数形式であってもよい。
【００１８】
上述したように、色補正プロファイルと色変換プロファイルは、原則的に各色空間における等色関係を規定するため、インクの発色が異なってくる印刷用紙に応じて用意しておく必要がある。また、色補正プロファイルと色変換プロファイルは、原則的に各色空間における等色関係を規定するが、これらの対応関係を人為的に補正することも可能である。例えば、色補正プロファイルにおいて、プリンタ３０が表現可能な色域全体に対してＬ*ａ*ｂ*値をマッピングするような補正を加えることにより、入力されたＬ*ａ*ｂ*値を色変換部Ｐ２ｃが色変換プロファイルを参照しつつＲＧＢ値に変換したときに、変換後のＲＧＢ値をプリンタ３０が表現可能な色域を最大限利用するように出力することができる。
【００１９】
色変換部Ｐ２ｃは、ＩＣＣプロファイルと色補正プロファイルと色変換プロファイルを参照して、入力されたｓＲＧＢ画像データをＣＭＹＫ画像データに色変換する。色変換されたＣＭＹＫ画像データは印刷実行部Ｐ２ｆに受け渡され、同印刷実行部Ｐ２ｆにて印刷を実行するための処理が行われる。なお、本実施形態においてはＣＭＹＫインクを備えるインクジェット方式のプリンタ３０が接続されているため、ＣＭＹＫ画像データを印刷実行部Ｐ２ｆにてハーフトーンデータに変換し、さらに同ハーフトーンデータをインク吐出ヘッドの走査順に応じて並べ替える処理を行っている。これにより、プリンタ３０にてカラー印刷を行うことができる。なお、カラーチャート印刷部Ｐ２ｄはプリンタ３０にて印刷させる画像データのうち、特にカラーチャートを印刷するための画像データを提供する。
【００２０】
（２）色補正プロファイル作成処理：
図５は、色補正プロファイルを作成するために、予め実行される目標色取得処理の流れを示している。本実施形態においては、色補正プロファイルにペーパーグレーモードと絶対グレーモードの２種類の目標色を設定するための処理を一例として説明する。ステップＳ１００においては、色補正プロファイルを作成する対象の印刷用紙に対してプリンタ３０を使用して黒べた印刷を行う。上述したとおり色補正プロファイルは印刷用紙ごとに作成する必要があるため、ここでは色補正プロファイルを作成する対象の印刷用紙に対して黒べた印刷を行う。具体的には、印刷実行部Ｐ２ｆがプリンタ３０に黒べた印刷を実行させる。ここで、黒べた印刷とは、印刷用紙の一部または全体をプリンタ３０が使用するブラックインクで完全に被覆する印刷を意味する。従って、黒べた印刷が行われた部分は、プリンタ３０が印刷用紙上に実現可能な最暗色となる。
【００２１】
ステップＳ１１０においては、目標色取得部Ｐ２ａが測色機４０からステップＳ１００にて印刷した黒べた印刷の測色値を取得する。本実施形態においては測色機４０からＬ*ａ*ｂ*色空間の色座標値として測色値が取得される。次に、ステップＳ１２０において、目標色取得部Ｐ２ａが測色機４０からステップＳ１００において黒べた印刷を行った印刷用紙と同一種類の印刷用紙の紙地の測色値を取得する。なお、本実施形態において、印刷用紙と表記した場合には、ステップＳ１００にて黒べた印刷を行った印刷用紙と同一種類の印刷用紙を意味するものとする。
【００２２】
ステップＳ１１０と同様に、紙地の測色値もＬ*ａ*ｂ*色空間の色座標値として測色値が取得される。本実施形態のプリンタ３０では、白色の印刷用紙に対してインクを付着させて印刷画像を形成する加色印刷を行っているため、印刷用紙の紙地が印刷用紙上にてプリンタ３０が表現可能な最明色となる。以上の処理によって、印刷用紙上にてプリンタ３０が表現可能な最暗色と最明色の測色値がＬ*ａ*ｂ*色空間の色座標値として取得されたこととなる。そして、ステップＳ１３０においては、目標色取得部Ｐ２ａが、これらの色座標値に基づいてペーパーグレーモードにおける目標色を取得する。
【００２３】
図６は、ステップＳ１３０にて取得される目標色を説明している。同図において、Ｌ*ａ*ｂ*色空間が示されている。Ｌ*ａ*ｂ*色空間における黒べた印刷の測色値の座標をＩＢで示し、紙地の測色値をＰＷで示すものとする。ＩＢはプリンタ３０が使用するブラックインクの色材に依存するが、ブラックインクの色材は厳密に無彩色ではないため、グレー（ａ*＝ｂ*＝０）軸からずれた座標となっている。一方、ＰＷは印刷用紙に依存するが、印刷用紙の色も厳密な無彩色ではないため、グレー（ａ*＝ｂ*＝０）軸からずれた座標となっている。
【００２４】
ペーパーグレーモードでは、目標色をＬ*ａ*ｂ*色空間においてＩＢとＰＷを直線で結んだ直線上に設定する。図６においては、ペーパーグレーモードの目標色の色座標をＧ1と表記している。ステップＳ１３０においてＧ1の座標はＰＷとＩＢの座標から明度Ｌ*に応じた直線補間によって算出することができる。このように、印刷用紙上にてプリンタ３０が表現可能な最明色と最暗色を直線的に結んだ線上のＧ1について明度に応じたグラデーションを作成することにより、厳密な無彩色ではないものの最明色と最暗色との間で色ねじれのない自然な階調性を表現することが可能となる。
【００２５】
ステップＳ１４０においては、目標色取得部Ｐ２ａが絶対グレーモードにおける目標色を取得する。図６において、絶対グレーモードの目標色の色座標をＧ2と表記している。Ｇ2の軌跡は、ＰＷとＩＢの座標を通過するとともに、中明度領域においてはグレー（ａ*＝ｂ*＝０）軸に沿って明度Ｌ*のみが変動している。このようなＧ2の軌跡とすることにより、印刷用紙上にてプリンタ３０が表現可能な最明色と最暗色を表現しつつも、中明度領域においては絶対的に無彩色（ａ*＝ｂ*＝０）となるようなＧ2の明度Ｌ*に応じたグラデーションを再現することができる。なお、全ての明度Ｌ*に対して目標色Ｇ1，Ｇ2を算出すると処理負担が増加するため、ここでは明度Ｌ*のレンジを１６等分する１７個の明度Ｌ*についてそれぞれ目標色Ｇ1，Ｇ2を算出しておくこととする。以上のように取得された目標色Ｇ1，Ｇ2はＨＤＤ１４に記憶される。目標色Ｇ1，Ｇ2が取得されると、次に色変換プロファイル作成部Ｐ２ｂが色変換プロファイルを作成する。なお、本実施形態では無彩色Ｇ0（ａ*＝ｂ*＝０）が特定色であり、無彩色Ｇ0を印刷したときに目標色Ｇ1，Ｇ2が印刷用紙上で再現できるように色変換プロファイルと色補正プロファイルを作成する。
【００２６】
図７は色変換プロファイル作成処理の流れを示しており、図８は色変換プロファイル作成処理を模式的に説明している。図７のステップＳ２００においては第二の表色空間であるＲＧＢ色空間と第三の表色空間であるＣＭＹＫ色空間との対応関係を計算により算出する。具体的には、ＲＧＢとＣＭＹは互いに補色関係を有しているため、同補色関係に基づいてＲＧＢ−ＣＭＹの対応関係を算出することができる。さらに、ＣＭＹの共通部分をＫに置き換える分版処理を行うことにより、ＣＭＹ−ＣＭＹＫの対応関係を得ることができ、最終的にＲＧＢ−ＣＭＹＫの対応関係を取得することができる。
【００２７】
ステップＳ２１０においては、色変換プロファイル作成部Ｐ２ｂがＲＧＢ−ＣＭＹＫの対応関係が規定された色変換プロファイルを仮作成する。色変換プロファイルは均等に配置するＲＧＢ色空間上の複数の代表グリッドに対応するＣＭＹＫ値がステップＳ２００にて特定した対応関係に基づいて記述されたデータテーブルであり、ＨＤＤ１４に記憶される。ステップＳ２２０においては、プリンタ３０にてカラーチャートを印刷させる。具体的には、ＲＧＢで各カラーパッチの色が表された画像データを色変換部Ｐ２ｃが取得し、この画像データを色変換部Ｐ２ｃが色変換プロファイルを参照してＣＭＹＫで表された画像データに色変換する。そして、印刷実行部Ｐ２ｆは、プリンタ３０にてＣＭＹＫの値に略比例したインク量でＣＭＹＫインクを印刷用紙上に付着させる。
【００２８】
各カラーパッチの色は、ＲＧＢ色空間において均等なグリッド上に位置する色が選択されており。ステップＳ２３０においては、色変換プロファイル作成部Ｐ２ｂが測色機４０からカラーチャートの測色値を取得する。カラーチャートの測色値はＬ*ａ*ｂ*色空間の色座標値として取得されるため、各カラーパッチの色についてＬ*ａ*ｂ*値とＲＧＢ値とＣＭＹＫ値との対応関係を特定することができる。ステップＳ２４０においては、印刷したときにＬ*ａ*ｂ*値が目標色Ｇ1，Ｇ2となるようなＣＭＹＫ値を推定する。
【００２９】
上述したとおり各カラーパッチの色についてＬ*ａ*ｂ*値とＣＭＹＫ値との対応関係を特定されているため、直線補間等を行うことによりＬ*ａ*ｂ*値で表される目標色Ｇ1，Ｇ2に対応するＣＭＹＫ値を一義的に推定することができる。なお、ペーパーグレーモードに対応する目標色Ｇ1が再現可能なＣＭＹＫ値をＣＭＹＫG1と表記し、絶対グレーモードに対応する目標色Ｇ2が再現可能なＣＭＹＫ値をＣＭＹＫG2と表記するものとする。上述したとおり均等に分布する１７個の明度Ｌ*について、それぞれ目標色Ｇ1，Ｇ2が算出されており、これらのそれぞれに対してＣＭＹＫG1とＣＭＹＫG2が推定される。ステップＳ２５０においては、色変換プロファイルに記述されたＲ＝Ｇ＝Ｂを満足するＲＧＢ値に対応するＣＭＹＫ値をＣＭＹＫG1とＣＭＹＫG2にそれぞれ置き換える。
【００３０】
図９は、Ｒ＝Ｇ＝Ｂを満足するＲＧＢ値に対応するＣＭＹＫ値をＣＭＹＫG1とＣＭＹＫG2に置き換えられる様子を模式的に示している。同図左において、ステップＳ２５０を実行する前の色変換プロファイルが示されており、同色変換プロファイルにおいては補色関係に基づくＣＭＹＫ値が各ＲＧＢの組み合わせに対して記述されている。一方、同図右においては、ステップＳ２５０を実行した後の色変換プロファイルが示されており、同色変換プロファイルにおいてはＲ＝Ｇ＝Ｂを満足するＲＧＢ値に対してはＣＭＹＫG1とＣＭＹＫG2にそれぞれ書き換えられている。
【００３１】
本実施形態の色変換プロファイルにおいては、Ｒ＝Ｇ＝Ｂを満足するＲＧＢ値が（０，０，０），（１６，１６，１６）・・・（２５５，２５５，２５５）の１７組記述されており、これらに対してのみＣＭＹＫG1とＣＭＹＫG2を対応付ける。すなわち、もともと補色関係に基づいて規定されていたＲＧＢ−ＣＭＹＫの対応関係を、Ｒ＝Ｇ＝Ｂを満足するＲＧＢ値についてのみＣＭＹＫG1とＣＭＹＫG2によって補正していることとなる。Ｒ＝Ｇ＝Ｂを満足するＲＧＢ（０，０，０），（１６，１６，１６）・・・（２５５，２５５，２５５）は１７組あり、ＣＭＹＫG1とＣＭＹＫG2もそれぞれ１７組算出されているため、これらを明度Ｌ*に応じて一対一に対応づけることができる。すなわち、Ｒ＝Ｇ＝Ｂを満足するＲＧＢ値（０，０，０），（１６，１６，１６）・・・（２５５，２５５，２５５）もレンジにおいて均等な明度分布を有していると考えることができるため、対応する明度Ｌ*のＣＭＹＫG1とＣＭＹＫG2をそれぞれ明度に対応させて割り当てることができる。
【００３２】
ステップＳ２６０では、ＣＭＹＫ値がＣＭＹＫG1によって置き換えられた色変換プロファイルに対して、色変換プロファイル作成部Ｐ２ｂがペーパーグレーモードである旨を示すヘッダを添付する。一方、ＣＭＹＫ値がＣＭＹＫG2によって置き換えられた色変換プロファイルに対して、色変換プロファイル作成部Ｐ２ｂが絶対グレーモードである旨を示すヘッダを添付する。以上の処理により色変換プロファイルが確定し、ペーパーグレーモードおよび絶対グレーモードの色変換プロファイルが一対作成されたこととなる。以上のようにして色変換プロファイルが作成されると、次に色補正プロファイルを作成する処理を実行する。
【００３３】
図１０は、色補正プロファイル作成処理の流れを示している。同図において、ステップＳ３００にてカラーチャート印刷部Ｐ２ｄがカラーチャートの画像データを取得する。なお、カラーチャートの画像データはＲＧＢ値で特定されている。ステップＳ３１０においては、ペーパーグレーモードと絶対グレーモードのいずれの色補正プロファイルを作成するかを使用者に問い合わせる。ペーパーグレーモードが選択された場合にはステップＳ３２０以降の処理が実行され、絶対グレーモードが選択された場合にはステップＳ３２５以降の処理を実行させる。まず、ペーパーグレーモードが選択された場合について説明する。ステップＳ３２０においては、ステップＳ３００にて取得されたカラーチャートの画像データを、色変換部Ｐ２ｃがペーパーグレーモードの色変換プロファイルを参照してＣＭＹＫの画像データに色変換する。色補正プロファイルには各グレーモードに応じたヘッダが添付されているため、いずれのグレーモードの色補正プロファイルであるかを簡単に特定することができる。
【００３４】
ところで、カラーチャート上に形成されるカラーパッチの色は、色域の全体にわたって印刷色の検証ができるようにＲＧＢ色空間の全体に均等に分布していることが望ましい。また、無彩色に近い色は敏感に知覚されるため、無彩色付近のカラーパッチを多く形成し、印刷色の検証を正確に行っておく必要がある。従って、カラーパッチの色がＲＧＢ色空間の全体に均等に分布するとともに、カラーパッチの色が無彩色付近に多く設けられているカラーチャートが色補正プロファイルの作成に用いられるカラーチャートとして一般的である。具体的には、無彩色付近のカラーパッチを形成するために、Ｒ＝Ｇ＝Ｂを満足するカラーパッチや、Ｒ＝Ｇ＝Ｂから少しＲＧＢ値をオフセットしたグレー検証用パッチが多く設けられることとなる。
【００３５】
色変換プロファイルに対応関係が規定されていないＲＧＢ値に対して色変換部Ｐ２ｃが色変換を行うにあたっては、ＲＧＢ値が隣接する対応関係に基づいて補間を行うことによりＣＭＹＫ値を特定する。ここで、ペーパーグレーモードの色変換プロファイルを参照してＲ＝Ｇ＝Ｂに付近のグレー検証用パッチの色について色変換を行うと、色変換プロファイルにおいてＲ＝Ｇ＝Ｂに対応づけられたＣＭＹＫG1が補間に用いられることとなる。すなわち、色変換結果がＣＭＹＫG1に近い値のカラーパッチが多く形成されることとなる。色変換結果がＣＭＹＫG1に近い値であれば、そのカラーパッチの測色結果はＬ*ａ*ｂ*色空間において目標色Ｇ1に近似した値となることが予想される。
【００３６】
ステップＳ３３０では印刷実行部Ｐ２ｆがプリンタ３０にてカラーチャートの印刷を実行させる。ステップＳ３４０においては、印刷されたカラーチャートの測色結果を測色機４０から取得する。ステップＳ３５０においては、上記測色結果に基づいてＲＧＢ値とＣＭＹＫ値と測色によるＬ*ａ*ｂ*値との対応関係を特定することができる。すなわち、どのようなＲＧＢ値に基づいて印刷を行ったときに、どのようなＬ*ａ*ｂ*値の色が印刷されるかを特定することができる。ステップＳ３６０においては、第一の表色空間（Ｌ*ａ*ｂ*色空間）において格子状のグリッドを生成し、その格子点上のＬ*ａ*ｂ*値に対応するＲＧＢ値をステップＳ３４０にて特定した対応関係から算出し、そのＬ*ａ*ｂ*−ＲＧＢの対応関係を色補正プロファイル作成部Ｐ２ｅが色補正プロファイルに記述する。
【００３７】
以上の処理によって、Ｌ*ａ*ｂ*−ＲＧＢの対応関係を規定した色補正プロファイルが作成されたこととなるが、ステップＳ３７０では、さらに上記格子点のうち無彩色のＬ*ａ*ｂ*値（ａ*＝ｂ*＝０）に対して目標色Ｇ1が印刷用紙上にて再現できるＲＧＢ値を対応づける。具体的には、上記格子点のうち無彩色のＬ*ａ*ｂ*値（ａ*＝ｂ*＝０）と明度Ｌ*が同一の目標色Ｇ1を図６のＬ*ａ*ｂ*空間内の補間によって特定し、この目標色Ｇ1に対応するＲＧＢ値をステップＳ３４０の測色結果によるＲＧＢ−ＣＭＹＫ−Ｌ*ａ*ｂ*対応関係から特定し、特定したＲＧＢ値を対応づける。上述したとおり、目標色Ｇ1にＬ*ａ*ｂ*値が近いグレー検証用パッチの測色結果が多く得られているため、この測色結果に基づいて補間を行うことにより、測色して得られるＬ*ａ*ｂ*値が目標色Ｇ1となるＲＧＢ値を正確に特定することができる。そして、正確に特定された目標色Ｇ1に対応したＲＧＢ値が無彩色のＬ*ａ*ｂ*値（ａ*＝ｂ*＝０）に対応づけられて記述される。以上の処理によって色補正プロファイルのボディが形成され、ステップＳ３８０においては色補正プロファイルに当該色補正プロファイルがペーパーグレーモードであることを示すヘッダを添付する。
【００３８】
一方、絶対グレーモードが選択された場合にはステップＳ３２５にて、絶対グレーモードの色変換プロファイルを参照してカラーチャートの画像データを色変換する。色変換を行うカラーチャートの画像データは、ステップＳ３２０にて色変換を行うものと同一である。ステップＳ３３５〜Ｓ３６５まではステップＳ３３０〜Ｓ３６０と同様の処理を行う。ただし、絶対グレーモードの色変換プロファイルを参照してカラーチャートの画像データを色変換されているため、ステップＳ３４５では目標色Ｇ2にＬ*ａ*ｂ*値が近いグレー検証用パッチの測色結果が多く得られることとなる。絶対グレーモードの色変換プロファイルを参照して色変換をすることにより、ペーパーグレーモードと同一のカラーチャートの画像データでも目標色Ｇ2にＬ*ａ*ｂ*値が近くなるグレー検証用パッチが再現できる。すなわち、目標色Ｇ1，Ｇ2ごとに異なるカラーチャートを用意しておく必要はなく、グレー周辺のカラーパッチが多く形成される汎用的なカラーチャートを共用することができる。
【００３９】
そして、ステップＳ３７５においては、作成された色補正プロファイルのうち無彩色のＬ*ａ*ｂ*値（ａ*＝ｂ*＝０）に対して目標色Ｇ2に対応するＲＧＢ値を対応づける。具体的には、色補正プロファイルに規定されたＬ*ａ*ｂ*格子点のうち無彩色のＬ*ａ*ｂ*値（ａ*＝ｂ*＝０）と明度Ｌ*が同一の目標色Ｇ2を図６のＬ*ａ*ｂ*空間内の補間によって特定し、この目標色Ｇ2に対応するＲＧＢ値をステップＳ３４５における測色結果から特定し、対応づける。上述したとおり、目標色Ｇ2にＬ*ａ*ｂ*値が近いグレー検証用パッチの測色結果が多く得られているため、この測色結果に基づいて補間を行うことにより、測色して得られるＬ*ａ*ｂ*値が目標色Ｇ2となるＲＧＢ値を正確に特定することができる。
【００４０】
そして、正確に特定された目標色Ｇ2に対応したＲＧＢ値が、無彩色のＬ*ａ*ｂ*値（ａ*＝ｂ*＝０）に対応づけられて記述される。以上の処理によって色補正プロファイルのボディが形成され、ステップＳ３８５においては色補正プロファイルに当該色補正プロファイルが絶対グレーモードであることを示すヘッダを添付する。なお、ステップＳ３６０，Ｓ３７０，Ｓ３６５，Ｓ３７５においてＬ*ａ*ｂ*−ＲＧＢの対応関係を規定するにあたっては、グレーモードについての人為的な補正のほかに、色域の調整や記憶色の補正などを付随的に行ってもよい。色変換プロファイル作成処理によって作成されたペーパーグレーモードおよび絶対グレーモードの色変換プロファイルと、色補正プロファイル作成処理によって作成されたペーパーグレーモードおよび絶対グレーモードの色補正プロファイルはＨＤＤ１４に記憶され、それぞれ上述する印刷制御処理によって印刷を行う際に使用される。
【００４１】
（３）印刷制御処理：
図１１は、印刷制御処理の流れを示している。同図に示す印刷制御処理は、図１に示すハードウェアによって実行される。なお、予め色変換プロファイル作成処理によって作成されたペーパーグレーモードおよび絶対グレーモードの色変換プロファイルと、色補正プロファイル作成処理によって作成されたペーパーグレーモードおよび絶対グレーモードの色補正プロファイルはＨＤＤ１４に記憶されている。
【００４２】
ステップＳ４００においては、印刷する画像データを取得する。ステップＳ４１０においては、使用者に当該画像データをペーパーグレーモードか絶対グレーモードのいずれによって印刷するかを問い合わせる。そして、使用者から入力操作に応じて、選択されたグレーモードを特定する。ペーパーグレーモードが選択された場合には、ステップＳ４２０において色変換部Ｐ２ｃがペーパーグレーモードのヘッダが添付された色変換プロファイルと色補正プロファイルを取得する。また、同時に図４に示すｓＲＧＢ−Ｌ*ａ*ｂ*の対応関係を規定したＩＣＣプロファイルも取得する。そして、ステップＳ４３０においては、色変換部Ｐ２ｃがペーパーグレーモードのヘッダが添付された色変換プロファイルと色補正プロファイルとＩＣＣプロファイルを参照して、画像データを色変換する。
【００４３】
画像データはｓＲＧＢで表現されており、これをＩＣＣプロファイルに基づいて色変換することによりＬ*ａ*ｂ*で表現された画像データを取得することができる。次に、Ｌ*ａ*ｂ*で表現された画像データを色補正プロファイルに基づいて色変換することによりＲＧＢで表現された画像データを取得することができる。さらに、ＲＧＢで表現された画像データを色変換プロファイルに基づいて色変換することによりＣＭＹＫで表現された画像データを取得することができる。ステップＳ４４０にてＣＭＹＫで表現されたハーフトーンデータをプリンタ３０に出力すると、プリンタ３０における各インク量を特定することができるため、ステップＳ４５０にて印刷用紙上に印刷画像を再現することができる。
【００４４】
Ｌ*ａ*ｂ*表色系に変換された画像データにおいて無彩色または略無彩色の画素（ａ*≒ｂ*≒０を満足する画素）は、ペーパーグレーモードの色変換プロファイルと色補正プロファイルを参照して色変換することにより、図６に示すように明度に応じて直線的な色変化を有することとなる。ペーパーグレーモードの色変換プロファイルと色補正プロファイルを作成するにあたり、無彩色（ａ*＝ｂ*＝０）である特定色を、明度に応じて直線的な色変化を有するペーパーグレーの目標色に対応づけているからである。従って、使用者がペーパーグレーモードを選択することにより色ねじれのないグレーのグラデーションを再現することできる。
【００４５】
一方、絶対グレーモードが選択された場合には、ステップＳ４２５において色変換部Ｐ２ｃが絶対グレーモードのヘッダが添付された色変換プロファイルと色補正プロファイルを取得する。また、同時に図４に示すｓＲＧＢ−Ｌ*ａ*ｂ*の対応関係を規定したＩＣＣプロファイルも取得する。そして、ステップＳ４３５においては、色変換部Ｐ２ｃが絶対グレーモードのヘッダが添付された色変換プロファイルと色補正プロファイルとＩＣＣプロファイルを参照して、画像データを色変換する。絶対グレーモードの色変換プロファイルと色補正プロファイルを参照して色変換することにより、図６に示すように中明度において測色的に正確な無彩色を再現することができる。
【００４６】
色変換プロファイル作成処理においては、グレーモードに応じて色変換プロファイルと色補正プロファイルとを対応づけて作成することにより、精度よい色補正プロファイルを作成することを可能としている。このようにして作成された色変換プロファイルと色補正プロファイルは、画像データを色変換して印刷する際に対応するもの同士を組み合わせて使用する必要がある。そこで、本実施形態のように色変換プロファイルと色補正プロファイルにグレーモードを特定するためのヘッダを添付することにより、色変換プロファイルと色補正プロファイルを整合させることができる。
【００４７】
（４）他の実施形態：
本発明の色補正プロファイルにおいては規定されている色領域のうち特定色に対応する領域ついてのみ、目標色に応じた対応関係に補正されることとなる。前実施形態の例では、色補正プロファイルにおけるグレー領域（Ｒ＝Ｇ＝Ｂ）についての対応関係のみが目標色（ペーパーグレー、絶対グレー）に応じて異なるものとなっている。従って、グレー領域（Ｒ＝Ｇ＝Ｂ）のみを目標色に応じて対応関係が変動する可変領域として、それ以外の高彩度領域については目標色にかかわらず対応関係が一定な不変領域ということができる。従って、可変領域についてのみ目標色に応じて対応関係を用意しておき、他の不変領域については対応関係を共通させることができる。
【００４８】
図１２は、色変換プロファイルのうち不変領域の対応関係を規定した不変テーブルと、色変換プロファイルのうち可変領域の対応関係を目標色（ペーパーグレー、絶対グレー）ごとに規定した可変テーブルとを表にして示している。同図において、不変テーブルＴ１にはグレー領域（Ｒ＝Ｇ＝Ｂ）以外の対応関係が記述され、可変テーブルＴ２ａ，Ｔ２ｂにはグレー領域（Ｒ＝Ｇ＝Ｂ）の対応関係がそれぞれ記述されている。可変テーブルＴ２ａ，Ｔ２ｂに規定された対応関係はペーパーグレーモードと絶対グレーモードにそれぞれ対応しており、両者は独立したテーブルとなっている。また、可変テーブルＴ２ａ，Ｔ２ｂには、それぞれがペーパーグレーモードと絶対グレーモードであることを示すヘッダが添付されている。
【００４９】
そして、例えば印刷制御処理において目標色（ペーパーグレー、絶対グレー）の指定が行われたときに、グレー領域の領域については不変テーブルＴ１を参照して色変換を行い、グレー領域については選択された目標色のヘッダが添付された可変テーブルＴ２ａ，Ｔ２ｂを参照して色変換を行うようにすればよい。このようにすることにより、ＲＧＢ表色空間の全体にわたって色変換を行うことができるとともに、目標色に応じて異なる色変換を行うことができる。また、目標色にかかわらず対応関係が一定な領域について、対応関係を個別に記憶しておく必要がないため、色変換プロファイル全体の容量を減らすことができる。
【００５０】
本発明によって作成された色変換プロファイルと色補正プロファイルは、目標色に応じて互いに対応しているため、これらを参照して色変換を行う段階では、これらを結合させるようにしてもよい。例えば、ペーパーグレーモードの色変換プロファイルと色補正プロファイルとを結合することにより、ＲＧＢ表色系を経由することなくＬ*ａ*ｂ*−ＣＭＹＫ色変換を一括して行うことができる。むろん、さらにディスプレイ等のＩＣＣプロファイルも結合させて、ｓＲＧＢ−ＣＭＹＫ色変換を一括して行うようにしてもよい。このようにすることにより、各プロファイルを記憶する容量を低減させることができるとともに、色変換の工程数を低減し、処理を高速化することができる。なお、色変換プロファイルと色補正プロファイルは各表色空間の対応関係を規定することができればよく、上記実施形態のようにテーブルとして作成されてもよいし、変換式が用意されてもよい。
【００５１】
さらに、上記実施形態においては特定色としての無彩色について目標色を複数設定するものを例示したが、他の色について特定色と目標色を設定しもよい。例えば、セピア画像を構成する色を特定色として設定し、この特定色について使用者の好みに応じた目標色を設定するようにしてもよい。このようにすることにより、使用者の好みに応じたセピア画像を出力することが可能となる。さらに、無彩色を特定色とし、セピア画像を構成する色を目標色として設定することにより、モノクロ画像データをセピア画像データに変換することができる色変換プロファイルと色補正プロファイルを作成することも可能である。
【図面の簡単な説明】
【００５２】
【図１】本発明の一実施形態にかかる色補正プロファイル作成装置のハードウェア構成図である。
【図２】色補正プロファイル作成装置のソフトウェア構成図である。
【図３】色補正プロファイル作成装置のソフトウェア構成図である。
【図４】表色空間の関係を示す図である。
【図５】目標色設定処理を示すフローチャートである。
【図６】目標色を説明するグラフである。
【図７】色変換プロファイル作成処理を示すフローチャートである。
【図８】色変換プロファイル作成処理を説明する模式図である。
【図９】色変換プロファイルを示す表である。
【図１０】色補正プロファイル作成処理を示すフローチャートである。
【図１１】印刷制御処理を示すフローチャートである。
【図１２】変形例にかかる色変換プロファイルを示す表である。
【符号の説明】
【００５３】
１０…コンピュータ，１０ａ…バス，１１…ＣＰＵ，１２…ＲＯＭ，１３…ＲＡＭ，１４…ＨＤＤ，１４ａ…Ｏ／Ｓ，１４ｂ…色補正プロファイル作成プログラム，１５…ＵＳＢＩ／Ｆ，１６…ビデオＩ／Ｆ，３０…プリンタ，４０…測色機，５０…ディスプレイ，Ｐ１…Ｏ／Ｓ，Ｐ２…色補正プロファイル作成プログラム，Ｐ２ａ…目標色取得部，Ｐ２ｂ…色変換プロファイル作成部，Ｐ２ｃ…色変換部，Ｐ２ｄ…カラーチャート印刷部，Ｐ２ｅ…色補正プロファイル作成部，Ｐ２ｆ…印刷実行部
【図１】
2006345358.tif 000003
【図２】
2006345358.tif 000004
【図３】
2006345358.tif 000005
【図４】
2006345358.tif 000006
【図５】
2006345358.tif 000007
【図６】
2006345358.tif 000008
【図７】
2006345358.tif 000009
【図８】
2006345358.tif 000010
【図９】
2006345358.tif 000011
【図１０】
2006345358.tif 000012
【図１１】
2006345358.tif 000013
【図１２】
2006345358.tif 000014